【事件の表示】
　特願２００１−２０６０７８「遊技設備のロックシステム」拒絶査定不服審判事件〔平成１５年　１月２１日出願公開、特開２００３−１９３２９〕について、次のとおり審決する。
【結　論】
　本件審判の請求は、成り立たない。
【理　由】
第一．手続の経緯
　本願は、平成１３年７月６日の出願であって、拒絶理由通知に対応して平成１８年８月１４日に手続補正書が提出され、その後なされた拒絶査定に対し、平成１８年１１月２日に拒絶査定不服審判が請求されるとともに、同日付けで手続補正がなされたものである。
　
第二．本願発明
　平成１８年１１月２日付の手続補正（以下「本件補正」という。）により、特許請求の範囲の請求項１は以下のように補正された。
　「ネットワーク上に制御コンピュータが設けられ、前記ネットワークに接続される遊技設備のロックシステムであって、
　前記遊技設備が、
　開閉可能な扉と、
　前記扉毎に設けられ当該扉を閉状態でロックするロック手段と、
　前記ロック手段によるロックの解除を要求するための複数の鍵体と、
　前記複数の鍵体のそれぞれに設けられ、第１コードおよび鍵体の所持者を特定するための第２コードを含むコード情報を記憶する記憶手段とを有し、
　前記制御コンピュータが、
　前記ロック手段のロック解除を許可するコード情報を複数記憶し得る情報管理手段と、
　前記鍵体を用いたロック解除要求があると、当該鍵体が有する記憶手段内のコード情報が前記情報管理手段内の少なくとも一のコード情報と関連付けられていることを条件に、前記ロック解除要求の対象となるロック手段に対してロックの解除を指示する制御手段と、
　当該ロック解除要求に応じた前記ロック手段がロック解除
されたタイミングで
　を備えることを特徴とする遊技設備のロックシステム。」（以下「本願発明」という。）
　
第三．補正要件（目的）の検討
　本件補正は、請求項１に記載した発明を特定するために必要な事項である、「コード更新手段」が行う更新時期について、「ロック解除されてから当該鍵体が抜去されるまでの間に」を、「ロック解除されたタイミングで」とする補正であり、当該補正は、拒絶査定時における不明瞭な記載である旨の指摘に対応する補正であるから、明りようでない記載の釈明に相当する。
　したがって、本件補正は、平成１４年法律第２４号による改正前の特許法第１７条の２第４項第４号に掲げる事項を目的とするものに該当する。
　
第四．特許法第２９条第２項の検討
１．引用刊行物記載事項
　原査定の拒絶の理由に引用された特開平９−７２０号公報及び周知技術であることを例示するための特開平１０−９９５１２号公報、特開平７−１９４８２３号公報、特開平１１−２３９６６１号公報には、図面とともに以下の事項が記載されている。
（Ａ）特開平９−７２０号公報（以下「刊行物Ａ」という。）
（Ａ−１）「【０００４】本発明は、このような従来技術の問題点に鑑みてなされたものであり、パチンコ遊技台が不正に開けられるのを有効に防止しうるパチンコ遊技台の施錠装置を提供することを目的とする。」
（Ａ−２）「【０００５】【課題を解決するための手段】上記目的を達成するために、請求項１記載の発明は、内蔵メモリにＩＤコードを記憶したトランスポンダ素子と、パチンコ遊技台の開閉部を電気的にロックするロック手段と、前記トランスポンダ素子とアクセスし、そのトランスポンダ素子に記憶されているＩＤコードを読み込む読込手段と、前記読込手段によって読み込まれたＩＤコードを照合用のＩＤコードと照合する照合手段と、前記照合手段による照合の結果として前記読み込まれたＩＤコードが前記照合用のＩＤコードと一致するときに、前記ロック手段を解錠する信号を出力する解錠信号出力手段とを有することを特徴とする。」
（Ａ−３）「【０００６】請求項２記載の発明は、上記請求項１記載のパチンコ遊技台の施錠装置において、前記トランスポンダ素子は鍵穴に差し込まれるキーに埋め込まれていることを特徴とする。」
（Ａ−４）「【０００８】請求項４記載の発明は、上記請求項１記載のパチンコ遊技台の施錠装置において、パチンコ遊技台が複数の開閉部を有する場合には、当該複数の開閉部をそれぞれ電気的にロックする複数のロック手段と、当該複数のロック手段の中から解錠の対象となるロック手段を選択する選択手段とを有することを特徴とする。」
（Ａ−５）「【００２５】図２はトランスポンダ素子の使い方を示す図である。トランスポンダ素子６をパチンコ台のキーシステムに取り込む場合、キー７に対する装着の仕方によって二つの使い方がある。すなわち、図２（Ａ）に示すように、スティック型のトランスポンダ素子６ａをキー７のグリップ部８に埋め込んで使う場合（キーグリップタイプ）と、図２（Ｂ）に示すように、コイン型のトランスポンダ素子６ｂをキーホルダーのようにして連結部材９によりキー７に吊り下げて使う場合（キーホルダータイプ）とである。どちらの使い方をするかによって、好ましいアンテナの設置場所や操作の仕方などが若干違ってくる。本実施例では、アンテナ５を鍵穴１の周囲に装着しているので（図１参照）、この場合により適合するものとして、ここでは、図２（Ａ）に示すキーグリップタイプのものを例にとって説明する。アンテナ５を鍵穴１と一体に形成した場合、単にキー７を鍵穴１に差し込むだけで、キー７の中のトランスポンダ素子６はアンテナ５との通信が可能な領域内にくることになる。」
（Ａ−６）「【００２６】図３は本実施例におけるパチンコ台の電気的キーシステムの構成を示すブロック図である。この電気的キーシステムは、トランスポンダ素子６を埋め込んだキー７（キーグリップタイプ）と、トランスポンダ素子６のＩＤコードを読み取るための読込手段としてのアンテナ５と、アンテナ５を介してトランスポンダ素子６に磁気エネルギーを供給するとともにデータの送受信を行う送受信回路１０と、鍵穴１にキー７が差し込まれどちらの方向に回されたかを検出する選択手段としてのキー差し込み検出スイッチ１１と、パチンコ台の盤面（ガラス面）２を電気的にロックする第１ロック手段としての盤面電磁ロック機構１２と、パチンコ台の枠面（遊技台全面）３を電気的にロックする第２ロック手段としての枠面電磁ロック機構１３と、外部電源１４とから構成されている。キー差し込み検出スイッチ１１は鍵穴１の内部に装着されている。また、各電磁ロック機構１２、１３は電磁ソレノイドを有しており、電気的信号により電磁ソレノイドを励磁させることによってロック状態が解除されるように構成されている。外部電源は、たとえば、通常の家庭用ＡＣ１００Ｖ電源である。」
（Ａ−７）「【００２８】図４は上記のように構成されたパチンコ台キーシステムの動作を示すフローチャートである。キー７が鍵穴１に差し込まれ左右のどちらか一方に回されると、ＣＰＵ１５は、キー差し込み検出スイッチ１１からの信号により、鍵穴１に差し込まれたキー７が左右のどちら側に回されたかを判断する（ステップＳ１）。」
（Ａ−８）「【００２９】ステップＳ１の判断の結果としてキー７が右に回された場合は、ＣＰＵ１５は、盤面（ガラス面）２が解錠の対象となっているものと認識し（ステップＳ２）、送信回路１７を介してアンテナ５から磁界（たとえば、１２５ｋＨｚ）を発生させ（ステップＳ３）、キー７の中に設置されたトランスポンダ素子６からキーＩＤコードを読み込む（ステップＳ４）。すなわち、アンテナ５から磁界（１２５ｋＨｚ）が発生すると、その磁界のエネルギーを受けてキー７の中のトランスポンダ素子６が起動し、メモリに記憶されているキーＩＤコードのデータをコイルを介して外部へ送信する。このキーＩＤコードのデータはアンテナ５で受信されて電気信号に変換された後、受信回路１８においてその受信信号の増幅や整形などの処理を経て、ＣＰＵ１５に送られる。」
（Ａ−９）「【００３０】ステップＳ４でＣＰＵ１５にキーＩＤコードが読み取られると、ＣＰＵ１５は、ＥＥＰＲＯＭ１６から照合用のＩＤコードを読み出して、ＩＤコードの解析を行い、トランスポンダ素子６のキーＩＤコードが照合用のＩＤコードと一致するかどうかを判断する（ステップＳ５）。この判断の結果としてＩＤコードが一致すれば、盤面電磁ロック機構１２を解錠する信号をそれを構成する電磁ソレノイドに出力し、盤面電磁ロック機構１２を解錠させる（ステップＳ６）。これにより、盤面２を開けることが可能となる。これに対し、ステップＳ５の判断の結果としてＩＤコードが一致しなければ、処理を終了し、盤面２のロック状態はそのまま維持される。」
（Ａ−１０）「【００３５】なお、上記の各実施例では、ＩＤコードはあらかじめ設定されたままとなっているが、これに限定されるわけではない。たとえば、通信しＩＤコードの照合を行うたびに、その都度、ＣＰＵ１５で新しいＩＤコードを乱数により作成し、ローリングＩＤコードとしてトランスポンダ素子６のメモリ（ＥＥＰＲＯＭ）のデータおよび送受信回路１０内のＥＥＰＲＯＭ１６のデータをその新ＩＤコードに書き替え、登録するようにしてもよい。その都度書き替えられるローリングＩＤコードを使用することにより、パチンコ台に対する不正行為をさらにより一層有効に防止することができる。」
（Ａ−１１）上記記載及び図面に基づけば、刊行物Ａには以下の発明（以下「引用発明」という。）が記載されている。
「　送受信回路１０が設けられたパチンコ台のキーシステムであって、
　前記パチンコ台が、
　複数の開閉部と、
　前記開閉部をそれぞれ電気的にロックする複数のロック機構と、
　前記パチンコ台の鍵穴１に差し込まれて回転されることにより前記ロック機構を解錠するキー７と、
　前記キー７に埋め込まれ、キーＩＤコードを記憶するトランスポンダ素子６とを有し、
　前記送受信回路１０が、
　照合用のＩＤコードを記憶するＥＥＰＲＯＭ１６と、
　前記鍵穴１に差し込まれた前記キー７が回転されると、前記キー７の中に設置された前記トランスポンダ素子６から前記キーＩＤコードを読み込み、前記ＥＥＰＲＯＭ１６から前記照合用のＩＤコードを読み出して、読み込んだ前記キーＩＤコードと読み出した照合用のＩＤコードの照合を行い、それらが一致すれば前記ロック機構を解錠する信号を前記ロック機構に対して出力するＣＰＵ１５と、
　前記キーＩＤコードと前記照合用のＩＤコードの照合を行うたびに、その都度、前記トランスポンダ素子６の前記キーＩＤコードおよび前記ＥＥＰＲＯＭ１６の前記照合用のＩＤコードを新キーＩＤコードおよび照合用の新ＩＤコードに書き替え登録する手段とを備える
　パチンコ台のキーシステム。」
　
（Ｂ）特開平１０−９９５１２号公報（以下「刊行物Ｂ」という。）
（Ｂ−１）「【要約】【課題】 遊技機前面に取り付けられた扉部材を開放することでなされる不正行為関係者を発見することを容易にすることができる遊技機を提供する。
【解決手段】 携帯可能なキーと、このキーによる扉開閉操作に応じて、遊技機の前面側に開閉可能に取り付けられた扉部材を施錠あるいは解錠する第１ロック機構とを有する遊技機の施錠システムにおいて、キーに、店員毎に付与された個別ＩＤを無線で発信するトランスポンダ４６を設け、第１ロック機構は、前記扉部材の開閉操作を行う際にトランスポンダ４６が発信した個別ＩＤを受信する受信ユニット２３を備えており、扉開閉操作に応じて受信ユニット２３が受信した個人ＩＤを記録する外部記憶装置６５を設けた。」
（Ｂ−２）「【０００４】【発明が解決しようとする課題】ところで、最近、コピーキーなど、不当に入手したキーを用いて前面枠や透明部材保持枠を開き、ＲＯＭ交換や遊技領域に対する細工を行って不当に利益を得ようとする者がいる。このような不正行為は、複数人のグループで行われることが多く、監視カメラの死角を作り出して行われるので、監視カメラでは発見が困難となっていた。さらに、遊技店の店員を一員とするグループもあり、この場合には、発見が極めて困難となっていた。」
（Ｂ−３）「【００１４】図１は、パチンコ遊技機の設置状態を示した斜視図である。まず、同図を参照して設備の概略について説明する。パチンコホール（遊技店）の島設備１には、複数台のパチンコ遊技機２が並設されている。そして、各パチンコ遊技機２の左側には、球貸機３が配置されると共に、各パチンコ遊技機２の上方の幕板４には、パチンコ遊技機１台に対し１個宛て呼出表示装置５が配設されている。この呼出表示装置５内には、異常があった場合などに点灯あるいは点滅し、異常報知手段の一部を構成する警告ランプ６が配設されている。また、呼出表示装置５の背面側には、呼出表示装置５などを制御するための呼出制御装置７が設けられている。この呼出制御装置７は、本発明における遊技機側施錠手段、識別情報受信手段、操作情報記録手段、識別情報発信要求手段、識別情報判定手段、開動作阻止手段、対象者限定手段、及び異常報知手段の一部あるいは全部として機能するものであり、その構成については後述する。」
（Ｂ−４）「【００１９】送受ユニット２３は、左側に位置するパチンコ遊技機２の前面枠１０あるいは透明部材保持枠１３をキーにより開放する際、キーの接近により、キーに設けられたトランスポンダ（後述）が発信した個別ＩＤ（識別情報）を受信する機構である。そして、この送受ユニット２３は、呼出制御装置７と電気的に接続されており、識別情報受信手段、及び識別情報発信要求手段の一部として機能する。第２ロック機構２４は、上述した第１ロック機構とは独立して設けられており、呼出制御装置７から制御可能とされたロック機構で開動作阻止手段として機能する。そして、呼出制御装置７からの制御に応じて、左側に位置するパチンコ遊技機２の前面枠１０に対し、この前面枠１０の開放を阻止する。」
（Ｂ−５）「【００４５】なお、このステップＳ３の判定は、管理装置５５により行うこともできる。例えば、呼出制御装置７には、管理装置５５に対して受信したキーＩＤを送出することにより問い合わせを行わせ、管理装置５５には、問い合わせに対する結果を送出させる。さらに、呼出制御装置７に、管理装置５５からの結果に基づく判定を行わせる。このように、トランスポンダ４６からのキーＩＤ（識別情報）を判定するためのテーブル情報（判定情報）を複数の遊技機を一括管理する管理装置５５（遊技機管理手段）に設けることにより、ＣＰＵ５７の負担が減るとともに、各呼出制御装置７が有するＲＯＭ５６（記憶手段）のサイズを小さくできるので、常に、高レベルの電磁ノイズが発生している島設備１の設置環境において、ＣＰＵ５７の暴走に基づく誤判定を低減させることができる。」
　
（Ｃ）特開平７−１９４８２３号公報（以下「刊行物Ｃ」という。）
（Ｃ−１）「【０００５】この発明は、上記問題に着目してなされたもので、遊戯機に電気ロック機構を搭載して遠隔操作によって解錠可能となすことにより、操作性を大幅に向上させた遊戯機制御装置を提供することを目的とする。またこの発明が他に目的とするところは、電気ロック機構を非接触で解錠するのに用いるコードの有効性を時間管理することにより、犯罪の発生を未然に防止できる遊戯機制御装置を提供する点にある。さらにこの発明が他に目的とするところは、解錠に関する情報を貯えて収集するこにより、犯罪の発生を判別し得、併せて機械状態の管理も適切に行い得る遊戯機管理システムを提供する点にある。」
（Ｃ−２）「【００１７】図２は、各遊戯機２に搭載された遊戯機搭載部２０の構成を示す。図中３１は、ロック制御部であり、光リモコン４から解錠番号に相当するＩＤコードを受け取る受信部３２や光リモコン４へ応答するための送信部３３を備えている。制御用ＩＣ３４は送受信動作を制御すると共に、送信されてきたＩＤコードとメモリ３５に書き込まれているＩＤコードとを比較し、両者が一致した場合には、駆動回路３６を駆動して電気ロック機構２１を解錠動作させる。」
（Ｃ−３）「【００１９】メモリ４６は、解錠番号に相当するＩＤコードをおよび前記電気ロック機構２１の解錠に関するデータを記憶する。このＩＤコードは、所定の時刻になると、時計４７から時刻を読み取った制御用ＩＣ４４の指令によって消去され、メモリ４６のＩＤコード記憶領域は次のデータが入るまでは空白となる。光リモコン４は、外部コネクター４８および充電器７を介してマスターサーバー６とデータのやり取りを行い、ＩＤコードの再書き込みや解錠に関するデータの送出を行う。なお解錠に関するデータの詳細については後述する。」
（Ｃ−４）「【００２１】次に、この遊戯機管理システムの始業時から終業時までの管理手順を図４に従って説明する。ステップ１（図中「ＳＴ１」で示す）は始業時の処理を示すもので、光リモコン４が各店員に配布される。各光リモコン４のバッテリー４９は夜間に充電器７により充電され、また始業時までにＩＤコードやマスターサーバー６により設定されたその日の店員コードがメモリ４６内に書き込まれる。」
　
（Ｄ）特開平１１−２３９６６１号公報（以下「刊行物Ｄ」という。）
（Ｄ−１）「【００１０】前記管理装置２には、前記指令機３に対するコード番号ＮＸを書き込む書込手段としての指令機登録部２ａが設けられている。このときに、前記コード番号ＮＸは、前記指令機３が用意されている数だけの数列、文字列が管理装置２によりランダムに発生されるものとされ、また、例えば１日など所定の時限で変更される。
【００１１】よって、例えば開店前に従業員は自分が貸与された指令機３を指令機登録部２ａに対峙させ、例えば自分の社員番号を入力すれば、指令機登録部２ａはその指令機３に対応する当日のコード番号ＮＸを書き込む。このときに、前記指令機３には後にも説明する金枠の施錠の解錠、木枠の施錠の解錠など、必要となる機能に対応する押しボタン３ａなどが設けられている。またこのときに、従業員にはコード番号ＮＸは知らされることはない。」
（Ｄ−２）「【００２５】図２に示すものは、上記の構成とした本発明の呼出システム１の作用を基本部分で示すフローチャートであり、先ず、従業員は開店に先立ち、管理装置２の指令機登録部２ａにより自己に貸与された指令機３の登録（ＳＴ０１）を行う。この登録に先立ち従業員は自己の社員番号などを入力するので、管理装置２は、どの指令機３を誰が使用するかを明確に認知するものとなる。」
（Ｄ−３）「【００２８】ここで、ある遊技機７０に障害が発生し、遊技者が呼出表示器４を通じて従業員の呼び出しを行い、従業員が障害を確認すると遊技機７０の解錠のために、例えば赤外線などによる解錠指令が呼出表示器４に向けて発信され、呼出表示器４はこれを受信し、この解錠指令が本日使用するコード番号ＮＸとして通知されている番号群中に存在するか否かを判定（ＳＴ０８）する。」
（Ｄ−４）「【００２９】存在すれば錠７１、７２の解錠を行（ＳＴ０９）い同時に使用された指令機３のコード番号ＮＸと自己の遊技機番号Ｔを管理装置２に向けて送信（ＳＴ１０）し、受信した管理装置２は、このコード番号ＮＸ、遊技機の台番号Ｔを使用された時間などと共に記憶（ＳＴ１１）する。そして、補修が終了すれば再び施錠が行われ、呼出表示器４は再び待機と監視（ＳＴ０５〜ＳＴ０７）状態に戻る。」
（Ｄ−５）「【００３５】【発明の効果】以上に説明したように、本発明により呼出表示器に遊技機の施錠、解錠を受け持つ機能を持たせると共に、その解錠は管理装置により管理され毎日が異なるコード番号を与えられる指令機で行う呼出システムとしたことで、第一には指令機も持たずコード番号も知る術もない部外者が解錠を行うことは不可能となり、電子部品の差し替えなどは不可能となる。
【００３６】また、例え不法手段により指令機を入手したとしても、当日使用されているコード番号を与えることは不可能であるので、セキュリテイは確保できるものとなる。更に、部内者による背任行為もそのコード番号を書き込まれた指令機が当日誰に貸与されていたのかを管理装置は認識しているので、指摘できるものとなる。加えて、監視モードが設けられたことで夜間の不法進入による電子部品の差し替えなども不可能とする。」
　
２．引用発明と本願発明との対比
（１）発明特定事項の対応関係
（１−１）引用発明における「パチンコ台」は、本願発明における「遊技設備」に対応し、以下同様に、
「キーシステム」は「ロックシステム」に、
「複数の開閉部」は「開閉可能な扉」に、
「前記開閉部をそれぞれ電気的にロックする」は「前記扉毎に設けられ当該扉を閉状態でロックする」に、
「ロック機構」は「ロック手段」に、
「キー７」は「鍵体」に、
「埋め込まれ」は「設けられ」に、
「キーＩＤコード」は「記憶手段内のコード情報」に、
「トランスポンダ素子６」は「記憶手段」に、
「照合用のＩＤコード」は「ロック手段のロック解除を許可するコード情報」に、
「記憶する」は「記憶し得る」に、
「ＥＥＰＲＯＭ１６」は「情報管理手段」に、
「前記鍵穴１に差し込まれた前記キー７が回転されると」は「前記鍵体を用いたロック解除要求があると」に、
「前記ロック機構を解錠する信号を前記ロック機構に対して出力する」は「前記ロック解錠要求の対象となるロック手段に対してロックの解錠を指示する」に、
「ＣＰＵ１５」は「制御手段」に、
「書き替え登録する手段」は「更新するコード更新手段」に、各々相当する。
（１−２）引用発明においては、「キー７」が鍵穴１に差し込まれて回転されることによってロック機構が解錠されるようになっているから、該「キー７」はロック機構が解錠されること（本願発明の「前記ロック手段によるロックの解除」に相当）を要求するためのものであるといえる。
（１−３）引用発明の「前記キー７の中に設置された前記トランスポンダ素子６」から読み込まれた「キーＩＤコード」は、本願発明の「当該鍵体が有する記憶手段内のコード情報」に相当し、引用発明の「前記ＥＥＰＲＯＭ１６」から読み出された「照合用のＩＤコード」は、本願発明の「前記情報管理手段内の少なくとも一のコード情報」に相当する。
　よって、引用発明において「読み込んだ前記キーＩＤコードと読み出した照合用のＩＤコードの照合を行い、それらが一致すれば前記ロック機構を解錠する信号を前記ロック機構に対して出力する」ことは、本願発明において「当該鍵体が有する記憶手段内のコード情報が前記情報管理手段内の少なくとも一のコード情報と関連付けられていることを条件に、前記ロック解除要求の対象となるロック手段に対してロックの解除を指示する」ことに相当するものといえる。
（１−４）引用発明における「前記キーＩＤコードと前記照合用のＩＤコードの照合を行うたびに、その都度」は、以下に記載のように本願発明の「前記ロック解除要求に応じた前記ロック手段がロック解除されたタイミングで」に相当する。
　すなわち、
　当該「前記キーＩＤコードと前記照合用のＩＤコードの照合を行うたびに、その都度」との表現は、当該照合結果が一致する場合と、一致しない場合の双方を含む表現となっている。
　そこで、当該「前記キーＩＤコードと前記照合用のＩＤコードの照合を行うたびに、その都度」行われる「新キーＩＤコードおよび照合用の新ＩＤコード」への「書き替え登録」を加味してその表現が意図するところを検討する。
　キーＩＤコードと照合用のＩＤコードの照合を行い、それらが一致しないとき、すなわち当該キーＩＤコードが不正なときに、当該不正なキーＩＤコードと照合用ＩＤコードを各々新ＩＤコードに書き替え、両者のコードが一致するように登録すると、次回の照合においては、両コードは一致することになってしまうので、不正なキーＩＤコードを記憶したトランスポンダ素子を有するキーによっても結局は解錠されることとなる。
　しかし、引用発明において、キーＩＤコードと照合用のＩＤコードを書き替え登録することは、上記（Ａ−１）に記載されるようにパチンコ台が不正に開けられるのを有効に防止するためであるから、不正なキーＩＤコードを記憶したトランスポンダ素子を有するキーによって解錠されることは、引用発明の目的、効果と矛盾することとなる。
　してみると、「新ＩＤコードに書き替え登録する」ときは、キーＩＤコードと照合用のＩＤコードとの照合結果が一致したときと解するのが相当と認められる。
　そして、当該両コードの照合結果が一致すると、ロック機構が解錠されるものであることを考慮すれば、引用発明の「前記キーＩＤコードと前記照合用のＩＤコードの照合を行うたびに、その都度」は、本願発明の「ロック手段がロック解除されたタイミング」に相当するものということができる。
（１−５）引用発明における「送受信回路１０」は、照合用のＩＤコードを記憶するＥＥＰＲＯＭ１６と、キーＩＤコードと照合用のＩＤコードの照合を行い、それらが一致すればロック機構を解錠する信号を該ロック機構に対して出力するＣＰＵ１５と、新キーＩＤコードおよび照合用の新ＩＤコードに書き替え登録する手段とを備え、当該ＥＥＰＲＯＭ１６、ＣＰＵ１５、書き替え登録する手段が、上記のように各々、情報管理手段、制御手段、コード更新手段に相当するから、当該「送受信回路１０」は、本願発明における「制御コンピュータ」に相当する。
　
（２）本願発明と引用発明との一致点
　制御コンピュータが設けられた遊技設備のロックシステムであって、
　前記遊技設備が、
　開閉可能な扉と、
　前記扉毎に設けられ当該扉を閉状態でロックするロック手段と、
　前記ロック手段によるロックの解除を要求するための鍵体と、
　前記鍵体に設けられ、コード情報を記憶する記憶手段とを有し、
　前記制御コンピュータが、
　前記ロック手段のロック解除を許可するコード情報を記憶し得る情報管理手段と、
　前記鍵体を用いたロック解除要求があると、当該鍵体が有する記憶手段内のコード情報が前記情報管理手段内の少なくとも一のコード情報と関連付けられていることを条件に、前記ロック解除要求の対象となるロック手段に対してロックの解除を指示する制御手段と、
　当該ロック解除要求に応じた前記ロック手段がロック解除されたタイミングで、前記記憶手段内の前記コード情報およびこれに対応する前記情報管理手段内のコード情報を更新するコード更新手段と
　を備えることを特徴とする遊技設備のロックシステム。
　
（３）相違点（山括弧内の記載は、相当する本願発明の構成を示す。）
（３−１）制御コンピュータに関して、本願発明は「ネットワーク上に制御コンピュータが設けられ、前記ネットワークに接続される」のに対し、引用発明は送受信回路１０＜制御コンピュータ＞がパチンコ台に設けられ、ネットワークに接続されるか否か不明である点。
（３−２）鍵体に関して、本願発明は「鍵体」を複数有するのに対し、引用発明は「キー７」＜鍵体＞を複数有するか否か不明である点。
（３−３）情報管理手段に関して、本願発明は、ロック解除を許可するコード情報を複数記憶しているのに対し、引用発明は複数の「照合用のＩＤコード」＜ロック解除を許可するコード情報＞を記憶するものではない点。
（３−４）鍵体及び情報管理手段に各々記憶されるコード情報に関して、本願発明は、第１コードおよび鍵体の所持者を特定するための第２コードを含むのに対し、引用発明は、キー７＜鍵体＞の所持者を特定するためのコードを含んでいない点。
（３−５）コード更新手段が行うＩＤコードの書き換えに関して、本願発明は、記憶手段内の前記コード情報のうち第２コードを変更せず、第１コードおよびこれに対応する前記情報管理手段内の第１コードを定期的に更新するのに対し、引用発明は、キーＩＤコード及びこれに対応する照合用のＩＤコードを書き換えるものの、上記のようにキー７＜鍵体＞の所持者を特定するための第２コードを含まないものであって、変更しないコード情報を有していない点、及びコード情報が定期的に更新されるか否か不明である点。
　
（４）相違点の検討
（４−１）相違点（３−１）について、
　上記（Ｂ−５）に、施錠システムにおけるキーＩＤを管理装置５５が一括管理することによりパチンコ遊技機２に設けられた呼出制御装置７のＣＰＵ５７の負担を軽減することが記載されているように、各ＣＰＵ５７の処理をネットワークなどのライン接続を介して管理装置が一括管理する集中処理は従来周知のコンピュータ処理であるから、本願発明の制御コンピュータに相当する引用発明の送受信回路１０をネットワーク上に設けて集中制御とすることは、遊技設備の分野における通常の知識を有する者（以下「当業者」という。）が適宜採用し得る設計的事項である。
　
（４−２）相違点（３−２）及び（３−３）について、
　鍵体を複数とすることは、上記（Ｂ−１）に、鍵体に相当する「キー」に店員毎に付与された個別ＩＤを無線で発信するトランスポンダ４６を設ける旨、上記（Ｃ−４）に、鍵体に相当する「光リモコン」が各店員に配布される旨、上記（Ｄ−２）に、鍵体に相当する「指令機３」を誰が使用するかを明確に認知する旨記載されているように従来周知の事項であり、鍵体を複数にすると、上記（Ｂ−４）に「個別ＩＤ（識別情報）」、上記（Ｃ−４）に「店員コード」、上記（Ｄ−１）に「前記コード番号ＮＸは、指令機３が用意されている数だけの数列、文字列が管理装置によりランダムに発生」と記載されているように、各鍵体を特定するコードも各々に設定されるので、コード情報が複数存在することとなることは明らかである。
　したがって、引用発明において、鍵体に相当するキー７を複数にすることは単なる設計変更であり、当該設計変更に伴ってキー７のキーＩＤコードと照合を行うための照合用のＩＤコードがＥＥＰＲＯＭ１６に複数記憶されることとなるのは、当該複数化に伴って生じる当然の技術事項である。
　
（４−３）相違点（３−４）及び（３−５）について、
　ロックを解錠する際に、解錠用コードと店員識別用コード等の複数のコードを用いることは、上記（Ｃ−３）、（Ｃ−４）に記載される「解錠番号に相当するＩＤコード」、「店員コード」、また、上記（Ｄ−１）に記載される「コード番号ＮＸ」、「社員番号」に示されるように店員による不正解錠対策として従来周知の事項である。
　したがって、引用発明におけるロックの解錠に際して、解錠用コード、すなわち、キーＩＤコードの他に店員識別用コードを付加することは、店員の不正解錠対策を講ずるか否かに応じて当業者が適宜なし得る程度の事項である。
　しかも、当該付加に際して、店員識別用コードを変更しないコードとすることは、刊行物Ｂ及び刊行物Ｄにおける店員識別用コードである、「個別ＩＤ（識別情報）」及び「社員番号」を変更しないコードとしていることからみて、ＩＤコードを書き替え登録する効果、すなわち「パチンコ台に対する不正行為をさらにより一層有効に防止することができる」効果（上記（Ａ−１０）参照）の要求程度に応じて当業者が適宜設定する単なる設計的事項である。
　また、「定期的」については、本願発明における定義が、本願明細書段落【００５０】に「以上のように・・・例えばシステム稼働開始時、鍵体４ａ、４ｂ、４ｃ・・・を用いたロック解除要求がある都度、またはシステム稼働終了時といったように、それぞれ定期的に更新されるようになっている。」と記載され、当該記載中の「鍵体４ａ、４ｂ、４ｃ・・・を用いたロック解除要求がある都度」は、引用発明における「前記キーＩＤコードと前記照合用のＩＤコードの照合を行うたびに、その都度」に相当するものであるから、定期的に更新する点は引用発明と実質的には相違しないものということができる。
　
（５）まとめ
　引用発明において、制御コンピュータに相当する送受信回路１０をネットワーク上に設けて集中制御とすることは上記のように単なる設計的事項であり、また、キー７を複数化して当該複数化に伴う技術事項を施すことは上記のように単なる設計的事項であり、さらにロックの解錠に際して職員識別用コードを含む複数のコードを用いること、その際に職員識別用コードを変更しないコードとすることも上記のように単なる設計的事項であって、しかも、これら単なる設計的事項と認定した点を総合的に勘案しても、格別の効果が奏せられるものとは認められない。
　
３．むすび
　以上のとおり、本願発明は、引用発明及び刊行物Ｂ、Ｃ、Ｄに記載されるような従来周知の事項に基づいて、当業者が容易に発明をすることができたものであるから、特許法第２９条第２項の規定により特許を受けることができない。
　そして、他の請求項（請求項２〜１０）に係る発明については検討するまでもなく、本願は拒絶すべきものである。
　よって、結論のとおり審決する。